(57)【要約】【課題】本発明の課題は、軽く、折りたたんで収容でき、且つ、繰り返し使用でき、相手が平面であれば、種類を選ばず付着でき、電気絶縁性シートの面にマルチマイクロ吸着穴シートを貼り付けるだけで容易に製造が可能な電気絶縁性シートを提供することにある。【解決手段】電気絶縁性シートの面に、結合具として、押しつけることで空気が抜けることにより吸引作用をする多数の微小な吸着穴を持つシートを有することを特徴としている。【選択図】図１
2006338883.tif 000002
【特許請求の範囲】
【請求項１】
電気絶縁性シートの面の全面又は一部に、結合具として、被付着平面に押しつけることで空気が抜けることにより吸引作用をする多数の微小な吸着穴を持つシートを有することを特徴とするマルチマイクロ吸引穴シートによる結合具付き電気絶縁性シート。
【請求項２】
前記の多数の微小な吸着穴は、前記の多数の微小な吸着穴を持つシートの両側に有り、一方は、前記電気絶縁性シートに吸着するためのものであり、他方は、前記被付着平面に吸着するためのものであることを特徴とする請求項１記載のマルチマイクロ吸引穴シートによる結合具付き電気絶縁性シート。
【請求項３】
前記電気絶縁性シートには、破損やピンホールにより空気中の酸素に触れて変色する酸化変色剤が混入されていることを特徴とする請求項１または請求項２記載のマルチマイクロ吸引穴シートによる結合具付き電気絶縁性シート。
【請求項４】
前記の多数の微小な吸着穴を持つシートが有する穴の径は、５０μｍ以下であることを特徴とする請求項１から請求項３のいずれか１つに記載のマルチマイクロ吸引穴シートによる結合具付き電気絶縁性シート。
【発明の詳細な説明】
【技術分野】
【０００１】
本発明は、配電盤等の電気端子が露出した状態で配線切断、接続、電位の測定などの電気作業を行う場合に、電気作業に無関係な電気端子をカバーして、作業者が周辺の電気端子に触れ感電することを防止する場合に、繰り返し使用でき、軽く小さく折りたたんで収容でき、製造の容易な電気絶縁性シートに関するものである。
【背景技術】
【０００２】
従来、配電盤等の蓋を開ければ電気端子が露出する環境は、多くの施設において見られ、保全業務として、電圧の監視、配線の切断、接続、交換などが行われている。このような状況にあって、配電盤の蓋についている電気端子は、通常は電気作業に供されない部位であり、アクリルや塩ビ等の絶縁物で作成した保護カバーで普段から防護され、作業者が触れないようにしている。然るに、このような保護カバーを、配電盤を設置するときに被保護部の大きさに応じて設計し作成することは面倒なので、もっと簡単に作成する手段として、特許文献１が提案されている。これは、被保護部の大きさに合わせて切断した電気絶縁性シートの上下に、結合具としてファスナー、ホック又は磁石を付設したものであり、常時、被保護部を全面蓋ってしまうものである。図３は、従来の電気絶縁性シートの付設例を示す図である。従来の電気絶縁性シート３０１が配電盤３０２の蓋３０３に付いている電気回路３０４の電気端子３０５を作業者から絶縁するために付設されている。この電気端子３０５は通常、電気作業をする部位ではなく、通常の保安上の電気作業は、配電盤３０２の中の端子盤面３０６の電気端子３０７に対して行われる訳である。その場合に、作業者が間違って蓋３０３上の電気回路３０４の電気端子３０５に触れ感電することがあるため、蓋３０３上の電気回路３０４の電気端子３０５は、常時、保護カバーがあることが望ましい訳である。このように通常は電気作業に供されない部位の常時の保護のためのカバーとして、例えば、配電盤の設置時に1回のみ保護作業を実施すればよく、その後は、カバーをつけたままで、付けたり、外したりするものではない場合には、この提案でも十分である。しかし、端子からケーブルを外したり、接続したり、電位をチェックしたりする作業を随時行う必要がある箇所、例えば、配電盤３０２の中の端子盤面３０６の電気端子３０７では、通常はカバーせず作業に供したい。このような、従来のものの欠点を上げて見るに、ファスナーやホックは、被付着物の方にもファスナーやホックの受け側が欲しくなり、面倒なので不都合であり、又、磁石は、被付着物側が鉄材のような磁性物質でない場合は使用できない不都合があり、更に、簡単な構成や製造方法で、折りたたんだり、丸めたり、くしゃくしゃにして収容した後でも、繰り返し使用できるものが要求されてきた。
【特許文献１】特開平９−１７２７０６
【発明の開示】
【発明が解決しようとする課題】
【０００３】
本発明の課題は、以上の説明から分かるように、繰り返し使用でき、相手が平面であれば、種類を選ばず付着でき、製造が容易な電気絶縁性シートを提供することにある。
【課題を解決するための手段】
【０００４】
本発明は、以上のような背景にあって従来の問題点を解決するために提案されたものであり、電気絶縁性シートの面に、結合具として、押しつけることで空気が抜けることにより吸引作用をする多数の微小な吸着穴を持つシートを有することを特徴としている。以下説明する。
【０００５】
請求項１記載の発明は、マルチマイクロ吸引穴シートによる結合具付き電気絶縁性シートであって、電気絶縁性シートの面の全面又は一部に、結合具として、被付着平面に押しつけることで空気が抜けることにより吸引作用をする多数の微小な吸着穴を持つシートを有することを特徴とする。これにより、平坦面なら何でも絶縁シートを付設でき、皺がよっても再度使用できる。
【０００６】
請求項２記載の発明は、請求項１記載のマルチマイクロ吸引穴シートによる結合具付き電気絶縁性シートにおいて、前記の多数の微小な吸着穴は、前記の多数の微小な吸着穴を持つシートの両側に有り、一方は、前記電気絶縁性シートに吸着するためのものであり、他方は、前記被付着平面に吸着するためのものであることを特徴とする。これにより、絶縁シートから、マルチマイクロ吸引穴シートを剥がして、再度、別の場所につけることも可能になる。
【０００７】
請求項３記載の発明は、請求項１または請求項２記載のマルチマイクロ吸引穴シートによる結合具付き電気絶縁性シートにおいて、前記電気絶縁性シートには、破損やピンホールにより空気中の酸素に触れて変色する酸化変色剤が混入されていることを特徴とする。
これにより、シートの破損が検出できる。
【０００８】
請求項４記載の発明は、請求項１から請求項３のいずれか１つに記載のマルチマイクロ吸引穴シートによる結合具付き電気絶縁性シートにおいて、前記の多数の微小な吸着穴を持つシートが有する穴の径は、５０μｍ以下であることを特徴とする。これにより、電気絶縁シートの厚みと同じ程度でのマルチマイクロ吸引穴シートが付設でき、シートが感覚的に同一平面で凹凸が無く利用できる。
【発明の効果】
【０００９】
以上の様に構成されているので、本発明のマルチマイクロ吸引穴シートによる結合具付き電気絶縁性シートでは、絶縁シートとしての本来の目的である絶縁保護性能は勿論、製造が容易、結合具、絶縁シートともに軽く、収容が容易、くしゃくしゃになったものでも再度の使用が問題なくできる等の効果がある。
【発明を実施するための最良の形態】
【００１０】
発明を実施するための最良の形態として提案するものであって、本発明によるマルチマイクロ吸引穴シートによる結合具付き電気絶縁性シートは、電気絶縁性シート上に結合具として、押しつけることで空気が抜けることにより吸引作用をする多数の微小な吸着穴を持つシートを有するものであって、以下の実施態様で示すような利点が招来する。以下、説明する。
【００１１】
図１は、本発明によるマルチマイクロ吸引穴シートによる結合具付き電気絶縁性シートの一実施態様を示す図であって、１−Ａから１−Ｄでは、電気絶縁性シート１０１の表面に結合具１０２を付設させた例である。１−Ａでは、周辺に、１−Ｂでは、格子状に、１−Ｃでは、横又は縦に、１−Ｄでは斜めに付設した例である。１−ＡにはＡ−Ａ‘部分の断面をその下に示しているが、電気絶縁性シート１０１の上には、結合具１０２が付設してあり、この結合具１０２は、拡大した部分を矢印で示すように、微小な穴が多数あるマルチマイクロ吸引穴シートを有している。吸引穴は、例えば、図２は、従来よく知られた真空吸着体を示す図である。従来の真空吸着体は、よく知られる様に、平らな面に押し付けて、真空吸着体２００の空気を押し出すことで、ゴム材などの構成体の形状が復帰すると、真空となり吸引により張り付くものである。この様な大きな真空吸着体２００を使用しては、折りたたんで持ち運ぶようなことには不便であるが、真空吸着の便利さを利用したい。そのため、図１のマルチマイクロ吸引穴シートは、従来の真空吸着体を小さくして、多数個をシート上に構成したものと思うことが出来る。従って、シートを平面に押し付けると、マルチマイクロ吸引穴シート１０２から空気が逃げて、吸引が起こり、マルチマイクロ吸引穴シートは平面に吸着することが出来る。勿論、マルチマイクロ吸引穴シート１０２は、電気絶縁性シート１０１に接着又は付着しているので、電気絶縁性シート１０１は、平面に固定され、立てたような配置でも落ちることは無い。これなら、絶縁シートと相俟って、同じシート状なので、折りたたみ収納が可能である。以上の、マルチマイクロ吸引穴シートは、大きなシートから適当な大きさに裁断して、電気絶縁性シート１０１上の所望の位置に貼り付けることで製造できるので、製造が極めて簡単なのが他の結合具手段に比べ好都合である。貼り付けは、例えば、市販の接着材や粘着材でもよいし、ここに使っているマルチマイクロ吸引穴でもよい。即ち、この場合は、結合具のシートの両側にマルチマイクロ吸引穴を有していて、片側は、電気絶縁性シート１０１に付着し、他の側は、被付着の平面に付着するためのものである。
【００１２】
更に、電気絶縁性シートの重要な特性として、破損による微小な破れやピンホールが発見し易いことがある。このため、破損やピンホールにより空気中の酸素に触れて変色する酸化変色剤を電気絶縁性シートに混入しておくことが出来る。酸化変色剤としては、よく知られた鉄系の酸素吸着剤が利用できる。他にも、アンミンコバルト錯体や、キノン系酸素吸収剤、ミオグロビンなどが利用できる。尚、電気絶縁性シートの材料としては、ナイロン樹脂、フッソ樹脂、ポリエチレン樹脂、ポリスチレン樹脂、エポキシ樹脂、ＡＢＳ樹脂、ポリカーボネート樹脂、ＰＥＴ樹脂などが利用できる。マイクロ吸引穴シートとしては、材質も上記の電気絶縁性シート用の樹脂と同じものや、アクリル酸エステル共重合物も利用できる。穴のサイズとしては、１μｍから１ｍｍまで色々の大きさで作成できる。絶縁シートに貼り付けて持ちうるため、利用しやすいサイズは、粘着テープの厚みの程度以下が良いので、５０μｍ以下が最も利用して便利である。商品名ＡＬ発泡シートとしてゼオン化成株式会社より市販されており利用することが出来る。
【産業上の利用可能性】
【００１３】
以上のような、本発明のマルチマイクロ吸引穴シートによる結合具付き電気絶縁性シートは、簡単な工程で製造でき、絶縁シートとしての本来の目的である絶縁保護性能は勿論、結合具、絶縁シートともに軽く、収容が容易、くしゃくしゃになったものでも再度の使用ができるなど大変好都合であり、産業上利用性が極めて大きい。
【図面の簡単な説明】
【００１４】
【図１】本発明によるマルチマイクロ吸引穴シートによる結合具付き電気絶縁性シートの一実施態様を示す図である。
【図２】従来よく知られた真空吸着体を示す図である。
【図３】従来の電気絶縁性シートの付設例を示す図である。
【符号の説明】
【００１５】
１０１、３０１  電気絶縁性シート
１０２  結合具
２００  真空吸着体
３０２  配電盤
３０３  蓋
３０４  電気回路
３０５、３０７  電気端子
３０６  端子盤面
【図１】
2006338883.tif 000003
【図２】
2006338883.tif 000004
【図３】
2006338883.tif 000005